(57)【要約】【課題】  ビルなどに設置されている消火器は、現地にて現品確認を実施し、利用期限などメンテナンス情報を確認する必要があった。また、消火器の交換の際には現地にて識別コードを控え、システムへ手入力または紙媒体による管理といった不正確で効率の悪い作業を実施する必要があった。【解決手段】  本発明では、その課題を解決するために以下の構成をした。本発明では、消火器にアクティブタグを取り付け、消火器を配備する場所にインターネットに接続されたアクティブタグと通信するための基地局を設置する。つまり、管理者はインターネットを経由して、アクティブタグが送信する情報を受け取り、リアルタイムな消火器の管理を行う。【選択図】  図１
2011095872.tif 000002
【特許請求の範囲】
【請求項１】
複数の消火器のメンテナンスデータを管理する消火器のメンテナンスデータの管理方法において、
ネットワークを介して、前記複数の消火器それぞれに設置されたＲＦＩＤタグからメンテナンスデータを読み取るリーダと接続された管理装置が、
前記複数の消火器のいずれかで期限切れを発生したことを検知し、
検知された消火器と置き換えるべき消火器の第１のメンテナンスデータと前記期限切れの消火器の第２のメンテナンスデータを対応付けて、かつそれぞれが置き換え前後いずれのデータであるかを区別して記憶し、
前記リーダを介して、前記第１および前記第２のメンテナンスデータの読取り指示を前記リーダに送信して、前記リーダから前記第１および前記第２のメンテナンスデータを受信し、
前記第１および前記第２のメンテナンスデータのいずれかが読取り不可能な状態になったことを検知し、
読取り不可能になったメンテナンスデータもしくは読取り可能なメンテナンスデータが、前記対応付けて記憶されたデータを用いて、置き換え前後のいずれのデータであるかを判断することで、前記消火器の置き換えが適切に実行されたかを判断することを特徴とする消火器のメンテナンスデータの管理方法。
【発明の詳細な説明】
【技術分野】
【０００１】
本発明は、いわゆるＲＦＩＤタグを用いて、物品を管理するための技術に関する。その中でも消火器のように設置され定期的、もしくは周期的に使用期限が切れていないかなどの設置状況の把握につき、そのメンテナンスデータを管理するための技術に関する。
【背景技術】
【０００２】
従来、ビルなどに設置されている消火器は、現地にて現品確認を実施し、利用期限などメンテナンス情報を確認する必要があった。また、消火器の交換の際には現地にて識別コードを控え、システムへ手入力または紙媒体による管理といった不正確で効率の悪い作業を実施する必要があった。
【０００３】
そこで、効率的に消火器の設置状況を把握する従来技術として、特許文献１がある。特許文献１では、発光素子を消火器を設置すべき位置に設置し、消火器が遮光体となるか否かで消火器の設置の有無を判断している。また、中央管理装置において、各消火器の有効期限などを管理することで、その消火器の設置を管理している。
【先行技術文献】
【特許文献】
【０００４】
【特許文献１】特開平６−６３１７６号公報
【発明の概要】
【発明が解決しようとする課題】
【０００５】
しかし、現在、消火器に関する情報を格納できるいわゆるＲＦＩＤタグが普及している。つまり、ＲＦＩＤタグを用いて複数の消火器を管理することが可能になっている。本技術を用いた場合、期限切れの消火器を新しい消火器に置き換えた場合、センタで管理しているデータの置き換えも必要がある。しかし、特許文献１においては、この点は考慮されていなかった。特に、ＲＦＩＤタグを用いた場合、時間的に古い消火器（のＲＦＩＤタグ）と新しい消火器（のＲＦＩＤタグ）の２つが並存することになり、その後新しい消火器（のＲＦＩＤタグ）のみが残ることになる。但し、作業者が誤って新しい消火器を撤去（古い消火器を残す）ことが起こりうる。このことを適切に把握することを本発明の目的とする。
【課題を解決するための手段】
【０００６】
本発明では、その課題を解決するために以下の構成をした。本発明では、消火器にアクティブタグを取り付け、消火器を配備する場所にネットワーク（例えば、インターネット）に接続されたアクティブタグと通信するための基地局を設置する。つまり、管理者はインターネットを経由して、アクティブタグが送信する情報を受け取り、リアルタイムな消火器の管理を行う。
【０００７】
さらに、本発明には、以下の態様が含まれる。消火器の置き換えを検知した場合、置き換え前の消火器のＲＦＩＤタグを識別するデータ（もしくはそのデータである消火器データ）と置き換え後の消火器のＲＦＩＤタグを識別するデータ（もしくはそのデータである消火器データ）を対応付けてそれぞれを置き換え前か後かを区別して記憶し、それぞれが並存して記憶しているかを検知し、(作業者の作業により一方が消去もしくは無効化され)１つのデータしか存在しないことを検知した場合、それが置き換え後のデータであるかを判断して、置き換え作業が適切に実行されたかを判断する。また、本発明には、２つのデータが並存している期間が一定期間以上かを判断して、一定期間以上であることを検知した場合、置き換え作業が滞っている旨のエラーメッセージを出力する。
【０００８】
より具体的には、以下のとおりの処理を実行する。
【０００９】
複数の消火器のメンテナンスデータを管理する消火器のメンテナンスデータの管理方法において、ネットワークを介して、前記複数の消火器それぞれに設置されたＲＦＩＤタグからメンテナンスデータを読み取るリーダと接続された管理装置が、前記複数の消火器のいずれかで期限切れを発生したことを検知し、検知された消火器と置き換えるべき消火器の第１のメンテナンスデータと前記期限切れの消火器の第２のメンテナンスデータを対応付けて、かつそれぞれが置き換え前後いずれのデータであるかを区別して記憶し、前記リーダを介して、前記第１および前記第２のメンテナンスデータの読取り指示を前記リーダに送信して、前記リーダから前記第１および前記第２のメンテナンスデータを受信し、前記第１および前記第２のメンテナンスデータのいずれかが読取り不可能な状態になったことを検知し、読取り不可能になったメンテナンスデータもしくは読取り可能なメンテナンスデータが、前記対応付けて記憶されたデータを用いて、置き換え前後のいずれのデータであるかを判断することで、前記消火器の置き換えが適切に実行されたかを判断する。
【発明の効果】
【００１０】
消火器のメンテナンス管理業務にて、置き換え作業が適切に実行されているかを管理することが可能になる。
【図面の簡単な説明】
【００１１】
【図１】本発明の一実施形態の構成図を示す。
【図２】本発明の一実施形態の処理フローを示す。
【発明を実施するための形態】
【００１２】
以下、本発明の実施の形態を図面を用いて説明する。
図１に、本実施の形態のシステム構成図を示す。それぞれのフロア１０００に電子タグ１〜３が取り付けられた消火器と電子タグ１００〜３００と通信を行うリーダ１０が設置されている。電子タグ１００〜３００は、取り付けられている消火器の利用期限情報を記憶しており、自身のＩＤとともにリーダ１へ任意の間隔で送信する。管理者は、リーダ１からインターネットを経由して消火器の情報を受信し、利用期限情報を管理端末１にて参照する。
【００１３】
次に、図２にて、管理端末１による消火器のリアルタイム管理と利用期限切れに伴うデータ更新の処理内容を説明する。また、管理端末１は、いわゆるコンピュータで実現され、以下の処理は当該管理端末１に格納されたプログラムに従って、ＣＰＵのような演算装置で実行する。
【００１４】
まず、ステップ２０１において、リーダ１が周辺の電子タグの発信情報を受信する。ステップ２０２において、ステップ２０１で受信した情報から、利用期限切れのものであるかチェックする。期限切れのものがある場合、ステップ２０３にて新規の電子タグ取付け済み消火器を準備し、その電子タグ情報をシステムに登録する。ここで、期限切れには、期限切れより一定期間前のものの含まれる。そして、期限切れかどうかは、予め管理端末１もしくは図示しない管理端末1に接続されたデータベース等に格納された各消火器の有効期限情報に基づいて、管理端末１の時計機能により判断される。
【００１５】
次に、ステップ２０４にて利用期限切れの消火器の電子タグ情報とステップ２０３にて登録した情報を関連付ける。これは、図示しない消火器データ管理データベースに、各消火器毎に記録された消火器データ（メンテナンスデータ）において、それぞれのレコードを対応付けることで実現する。次に、ステップ２０５にてリーダ１０が受信しているデータにステップ２０３とステップ２０４で登録した電子タグ情報が存在するかチェックする。ステップ２０３とステップ２０４のデータが併存する場合、ステップ２０９にて一定時間の経過を待ち、再度ステップ２０５を実施する。
【００１６】
また、ステップ２０６にて、ステップ２０３のデータだけが受信されているかチェックし、ステップ２０３のデータのみであれば、ステップ２０４のデータにステップ２０３のデータを上書きする（消火器データ管理データベースにおけるデータについて実行する）。ステップ２０４のデータのみであった場合、エラーを出力する。
【符号の説明】
【００１７】
１…管理端末、１０…リーダ、１００、２００、３００…電子タグ、
【図１】
2011095872.tif 000003
【図２】
2011095872.tif 000004